(57)【特許請求の範囲】
【請求項１】
少なくともめくり領域の前方からめくり領域の後方まで通帳搬送面の下側を延在する搬送ガイドと、前記めくり領域においてその搬送ガイドよりも上側に設けられ、回転して前記めくり領域に存在する通帳にめくり力を与えるめくりローラとを有する頁めくり装置において、前記搬送ガイドに、前記めくりローラの下方において搬送方向に直交する方向に延びる凹溝を形成するとともに、その凹溝の前記めくりローラからめくりローラの軸方向に離れた位置に通帳搬送方向に延びるリブを設けて、前記めくりローラから通帳に押圧力が加わった時にその通帳が通帳搬送方向に直交する方向に波打つようにしたことを特徴とする頁めくり装置。
【請求項２】
請求項１に記載の頁めくり装置において、前記リブは、その上面が前記搬送ガイドのめくりローラの前後における上面と等しい高さ、またはそれよりも低いことを特徴とする頁めくり装置。
【請求項３】
請求項２に記載の頁めくり装置において、前記リブの前端と後端の一方または双方に連続し、そのリブの延長線上において前記搬送ガイドの上面から突出する山形の凸部が形成されていることを特徴とする頁めくり装置。
【請求項４】
請求項１または２に記載の頁めくり装置において、前記凹溝の前側に前記搬送ガイドの上面よりも上側に突出する凸部を形成し、その凸部の頂部から前記凹溝の底面の前端まで連なる傾斜面を備えたことを特徴とする頁めくり装置。
【発明の詳細な説明】
【技術分野】
【０００１】
本発明は、金融機関の窓口機やＡＴＭ等の冊子からなる媒体（以下、通帳という。）に対して記帳処理を行う通帳処理機に組み込まれる頁めくり装置に関する。
【背景技術】
【０００２】
通帳処理機で印字される通帳に頁めくりの必要が生じたときは、通帳を印字部から頁めくり装置に搬送する。そして、頁めくり装置は、印字部から搬送されてきた通帳を送りローラと押えローラで挟持した状態でめくりローラを回転させて、通帳の挟持されていない部分をめくり上げてその通帳を搬送することにより、頁めくりを行うように構成されている。
【０００３】
この場合、めくりローラの回転により通帳の最上位の頁のみがめくられることが必要である。しかし、従来の頁めくり装置においては、空振り（頁めくりミス）や一度に２枚以上をめくる多重めくりをして、最上位の頁のみをめくることは容易でなかった。
【０００４】
当初の頁めくり装置においては、通帳搬送ガイド（以下、搬送ガイドという。）のめくりローラの下側における上面が、めくりローラの前後における搬送ガイドの上面と同じ平面上に存在し、かつ、平坦であった。そのため、回転するめくりローラが頁めくり領域に存在する通帳の上面に接触しても、通帳の最上位の頁を湾曲させる契機となる一次曲げモーメントが発生しにくいので、最上位の頁が下側の頁から分離されにくい結果、円滑にめくられない。
【０００５】
そこで、一次曲げモーメントが発生しやすいように、めくりローラの通帳に対する押圧力を強めると、最上位の頁のならず、その下側の頁までも共連れでめくる多重めくりが生じる原因となった。
【０００６】
搬送ガイドが平坦であることによる多重めくりの問題を解決するため、搬送ガイドのめくりローラ下側の部分に、搬送ガイドのめくりローラの前後における上面よりも低い底面を有し、通帳搬送方向と直交する方向に延びる凹条溝を形成することにより、回転するめくりローラから通帳に加わるめくり力により通帳に湾曲を促す一次曲げモーメントが生じるように工夫した頁めくり装置が特許文献１に開示された。
【０００７】
特許文献１に記載された頁めくり装置は、凹条溝の上側にめくりローラと押えローラを同軸上に設け、凹条溝の下側に送りローラを、その送りローラの上面が凹条溝内の押えローラと接触するように設けたものである。
【０００８】
しかし、凹条溝の幅（通帳搬送方向の距離）が比較的狭く、また、送りローラの上面が凹条溝内で押えローラと接触するので、頁めくり領域において通帳が回転するめくりローラから加えられる押圧力により凹条溝内に沈む量が少ないため、通帳に生じる一次曲げモーメントが十分でないという弱点が指摘された。
【０００９】
めくりローラから加えられる押圧力により通帳に十分な一次曲げモーメントが生じるようにするためには、めくりローラから加えられる押圧力により通帳が凹条溝内に沈む量を大きくすればよいことは、容易に推考できる。しかし、頁めくり領域に到来した通帳が、その上面全体にわたって平坦である場合は、通帳の最上位の頁をその下側の頁から分離する作用が正常に行われるが、頁めくり領域に到来した通帳が当初から通帳の搬送方向に平行な直線に対してカールしている場合は、めくりローラが通帳を押圧しないか、押圧力が十分でないため、めくりローラのめくり力が通帳に加わらないので、頁めくりが行われない。すなわち、通帳にカールがある場合は、頁めくりミスを発生する場合がある。
【００１０】
また、特許文献１に記載された頁めくり装置では、送りローラの作用によって通帳が通帳搬送方向に直行する方向に波打つようにしているが、この方法では構造が複雑になり、かつ、部品数が多くなるため、製造コスト及び信頼性の両面で課題があった。
【先行技術文献】
【特許文献】
【００１１】
【特許文献１】特許第４５９２３５０号公報
【特許文献２】特許第４３６６０２１号公報
【特許文献３】特許第３４９１６１６号公報
【発明の概要】
【発明が解決しようとする課題】
【００１２】
本発明は上記の点に鑑みてなされたものであり、簡単な構成により、通帳にカールがある場合であっても、多重めくり等をすることなく、頁めくりをする頁めくり装置を提供することを目的とする。
【課題を解決するための手段】
【００１３】
本発明は、上記目的を達成するため、少なくともめくり領域の前方からめくり領域の後方まで通帳搬送面の下側を延在する搬送ガイドと、めくり領域においてその搬送ガイドよりも上側に設けられ、回転してめくり領域に存在する通帳にめくり力を与えるめくりローラとを有する頁めくり装置において、搬送ガイドに、めくりローラの下方において搬送方向に直交する方向に延びる凹溝を形成するとともに、その凹溝のめくりローラからめくりローラの軸方向に離れた位置に通帳搬送方向に延びるリブを設けて、めくりローラから通帳に押圧力が加わった時にその通帳が通帳搬送方向に直交する方向に波打つようにしたことを特徴とする。
【００１４】
前記リブは、その上面が搬送ガイドのめくりローラの前後における上面と等しい高さ、またはそれよりも低いことを特徴とする。
【００１５】
リブの前端と後端の一方または双方に連続し、そのリブの延長線上において搬送ガイドの上面から突出する山形の凸部が形成されていることが好ましい。
【００１６】
凹溝の前側に搬送ガイドの上面よりも上側に突出する凸部を形成し、その凸部の頂部から凹溝の底面の前端まで連なる傾斜面を形成することが好ましい。
【発明の効果】
【００１７】
本発明によれば、めくりローラから通帳に押圧力が加わった時にその通帳が通帳搬送方向に直交する方向に波打つ（波状に変形される）ので、通帳がカールしている場合でも、確実に頁めくりを行うことができる。また、搬送ガイドに、めくりローラの下方において搬送方向に直交する方向に延びる凹溝を形成するとともに、その凹溝のめくりローラからめくりローラの軸方向に離れた位置に通帳搬送方向に延びるリブを設けるだけであるので、構成が簡単であり、製造コスト及び信頼性の両面で有利である。 
【図面の簡単な説明】
【００１８】
【図１】本発明の実施の形態に係る頁めくり装置を通帳処理機に組込んだときの概略構成図である。
【図２】図１のＡ−Ａ線拡大断面図である。
【図３】図２のＢ−Ｂ線断面図である。
【図４】図２の搬送ガイドの斜視図である。
【図５】（ａ）は搬送される通帳がめくり領域に到達し、めくり動作が行われる直前の状態を示す断面図、（ｂ）は（ａ）のＣ−Ｃ線断面図である。
【図６】（ａ）は図５の（ａ）の状態からめくり動作が行われている時の状態を示す断面図、（ｂ）は（ａ）のＤ−Ｄ線断面図である。
【図７】搬送ガイドの凹溝に設けられるリブの各種態様を示す断面図である。
【発明を実施するための形態】
【００１９】
続いて、本発明の実施の形態について図面を参照しながら説明する。
【００２０】
図１は、本発明に係る頁めくり装置ａを金融機関の係員窓口に設置される通帳処理機ｂに組込んだときの概略構成図である。
【００２１】
図１中、ｂ０は入出口であって、通帳処理機ｂの筐体（図示省略）に設けられ、この入出口ｂ０を介して通帳Ｎを通帳処理機ｂに挿入し、また、その挿入した通帳Ｎを受け取ることができる。そして、この入出口ｂ０の内側には、挿入された通帳Ｎを通帳処理機ｂ内に搬送する水平状の搬送路Ｌが形成されている。この搬送路Ｌは、搬送モータＭ１で回転駆動される送りローラｒ１と、その送りローラｒ１に対設された回転自在な押えローラｒ２とを所定の間隔を保って配置して構成されている。すなわち、この搬送路Ｌは、送りローラｒ１および押えローラｒ２の当接位置が水平線上に存在するように、そして、少なくとも１つの送りローラｒ１および押えローラｒ２の当接位置が、常時、通帳Ｎに位置する所定の間隔を保って配置されて構成されている。なお、押えローラｒ２は、周知の通帳処理機の搬送路と同様に、送りローラｒ１に対して図示しないばねを介して常時付勢されるように構成され、通帳Ｎを送りローラｒ１および押えローラｒ２で所定の圧力をもって挟持できるように構成されている。
【００２２】
上記搬送路Ｌ上には、入出口ｂ０側から順に、入出部ｂ１、読取書込部ｂ２、印字部ｂ３および本発明に係る頁めくり装置部ａが設けられている。入出部ｂ１には、光電素子からなるセンサＳが設けられていて、そのセンサＳが入出口ｂ０に通帳Ｎが挿入されたことを検出したときに搬送路Ｌを介してその通帳Ｎを読取書込部ｂ２側に取込み、また、読取書込部ｂ２側から入出部ｂ１に送られてきた通帳Ｎがその入出部ｂ１から取出されたことを検知できるように構成されている。
【００２３】
読取書込部ｂ２には、見開き状態の通帳に記載されている頁を示す所定の記号（マーク）を読取る光学読取器Ｏが設けられている。また、読取書込部ｂ２には、磁気ヘッドＨが設けられていて、通帳の磁気データ記録領域に記録されているデータを読取り、必要に応じて新たなデータを書込み、その書込んだデータをチェックできるように構成されている。印字部ｂ３には、印字ヘッド及びプラテンからなるプリンタＰが設けられていて、通帳Ｎの所定の行に所定の内容を印字できるように構成されている。なお、搬送路Ｌの途中には、通帳Ｎの搬送位置を検出する多数のセンサが設けられているが、図示を省略されている。
【００２４】
次に、図１のＡ−Ａ線拡大断面図である図２および図２のＢ−Ｂ線断面図である図３を用いて頁めくり装置ａについて説明する。頁めくり装置ａが設けられている搬送路Ｌには、通帳Ｎを載置することができる搬送ガイド１が設けられている。図４に示すように、搬送ガイド１の上面の一部に、搬送路Ｌにおける通帳搬送方向と直交する方向に延びる凹溝２が設けられている。凹溝２は、搬送ガイド１の上方に設けられている後記めくりローラ３よりも入出口ｂ０側の位置から、めくりローラ３よりも入出口ｂ０と反対側の位置までの幅を有する。そして、その凹溝２には、搬送路Ｌにおける通帳搬送方向と直交する方向に均等な間隔を持って複数個（図２の例では３個）の凸状のリブ４が形成されている。そのリブ４は、凹溝２の前端から後端まで連続し、その上面は搬送ガイド１の凹溝２の前後両側における上面１ａ，１ｂと等しい高さにある。
【００２５】
凹溝２の幅中央に凹溝２の底面よりもわずかに凹んだ凹部２ａが形成されている。凹溝２の上方に、凹部２ａの真上において通帳搬送方向と直交する方向に延びる回転軸５が設けられ、その回転軸５に複数個（図２の例では３個）のめくりローラ３が固着されている。凹部２ａは、各めくりローラ３の真下に位置し、めくりローラ３の最大径部分の回転を妨げないように設けられているものであり、断面形状は、特に限定されないが、図示の例では、円弧状に凹んで形成されている。しかし、凹部２ａは、各めくりローラ３の真下のみでなく、通帳搬送方向と直交する方向に連続（リブ４の部分は除く）する溝状に形成してもよい。
【００２６】
めくりローラ３の回転軸５は、正転および逆転が可能なめくりモータＭ２により回転駆動される。めくりローラ３は、回転軸５の中心から凹溝２の底面までの距離よりも大きく、回転軸５の中心から凹部２ａの底面までの距離よりもわずかに小さい最大径部分を有する。そして、めくりローラ３は、最大径部分が図３に示すように真上に向いている位置をホームポジションとする。
【００２７】
なお、図示しないが、めくりローラ３には、めくりローラ３の回転位置を検出する手段が設けられている。その検出手段は、たとえば、回転軸５に取付けられたスリット円板と、そのスリット円板のスリットを検知するホトセンサからなる。
【００２８】
また、搬送ガイド１には、凹溝２の前後両側に矩形の孔６が形成されている。搬送ガイド１の下側に設けられた回転軸７に回転可能に支持された押えローラr２の上部が各孔６から搬送ガイド１の上面１ａ，１ｂに突出されている。
【００２９】
各押えローラr２には、搬送ガイド１の上側に設けられた軸８に固着された送りローラr１が当接されている。軸８は、搬送モータＭ１（図１参照）で回転駆動される。回転軸７は、押えローラr２が送りローラr１に弾力的に当接するように、図示されていない付勢部材により送りローラr１方向に付勢されている。
【００３０】
図１、３、５中、Ｇ１，Ｇ２はめくり領域に設けられたガイドであって、めくりローラ３を中心にして搬送路Ｌの搬送方向の前後両側にそれぞれ設けられている。これらのガイドＧ１，Ｇ２は、送りローラr１の至近位置に設けられた水平な軸Ｐ１，Ｐ２を中心として回転自在に支持されている。その支軸Ｐ１，Ｐ２を図示しない駆動源により一定の角度範囲で回転させることにより、ガイドＧ１，Ｇ２のめくりローラ３に近い側がめくり領域において上下動される。この回転動作については後述する。
【００３１】
図１中、Ｃは、ＣＰＵを中心に構成された送りローラ移動制御手段を担う制御器であって、上記頁めくり装置ａを含む通帳処理機ｂ全体を統括的に制御する。したがって、この制御器Ｃにより上述した各モータＭ１，Ｍ２等も駆動制御される。
【００３２】
以下、上記構成からなる頁めくり装置ａの頁めくり動作を図５〜図６を用いて説明する。今、印字部ｂ３において通帳Ｎの見開き頁の最後の行への印字を終了して、次頁に印字する必要が生じたとする。すなわち、図５（ａ）において通帳Ｎの左側の頁の頁めくり（以下、これを「正めくり」という。）の必要が生じたとする。この場合、通帳Ｎは、搬送路Ｌ（送りローラｒ１および押えローラｒ２）を介して頁めくりされる頁の中央よりも後方の位置にめくりローラ３が位置するまで搬送される。
【００３３】
通帳Ｎが図５（ａ）に示される位置まで搬送されたのち、図６（ａ）に示されるように、めくりローラ３がめくりモータＭ２の回転により図５（ａ）に示されるホームポジションの位置から反時計方向に回転が開始されるとともに、ガイドＧ１，Ｇ２が上方へ移動される。めくりローラ３の回転により通帳Ｎの最上位の頁（中紙）のめくりが開始され、さらに、ガイドＧ２が上方へ回動していることにより、最上位の頁の湾曲が円滑に行われる。
【００３４】
送りローラｒ１と押えローラｒ２の当接面は搬送ガイド１の媒体載置面付近にあり、めくりローラ３の先端（最大径部分）のめくり面はその当接面よりも低い凹溝２の底面付近にある。しかも、凹溝２には通帳搬送方向に直交する方向に隔てた位置に複数のリブ４が形成されている。そのため、めくりローラ３の回転によりめくりローラ３の最大径部分が凹溝２の凹部２ａを通過するとき、図６（ｂ）に示されるように、通帳Ｎの搬送方向と直交する方向の断面形状が大きく波打つ状態となる。
【００３５】
これにより、めくりローラ３から通帳Ｎに大きな押圧力が加わるので、通帳が平坦なものである場合はもとより、通帳が当初からカールしている場合でも、通帳の最上位の頁が確実に弓なりに湾曲される。その頁が図６（ａ）のめくりローラ３と開放されているガイドＧ２との間に跳ね上げられた後、通帳Ｎは送りローラr１と押えローラｒ２により図６（ａ）において印字部ｂ３に向けて左方向に搬送されることにより、頁めくり動作が終了する。したがって、最上位の頁がめくられないという不都合は効果的に回避される。また、通帳Ｎが波打つことから、各頁の分離効果が得られるので、多重めくりも防止される。
【００３６】
通帳Ｎが印字部ｂ３に搬送されると、最上位の頁は完全にめくられて頁めくり動作は終了となる。そして、頁めくりされた後、ガイドＧ２は元の位置（図５（ａ）の位置）に復帰される。
【００３７】
なお、上述の例では、頁めくりを正めくりとして説明したが、図５（ａ）において通帳Ｎの右側の頁をめくる逆めくりの場合は、その右側の頁の中央よりも前方の位置がめくりローラ３に対向する位置に位置される。そして、めくりローラ３は、図６（ａ）において時計方向に回転されるとともに、ガイドＧ１が上方へ回動させられる。
【００３８】
上記送りローラｒ１と押えローラr２は、搬送面に対する位置関係を上下逆にしてもよいことは多言を要しない。また、上述の例では、頁めくり装置ａが通帳処理機ｂに組込まれた例を示したが、ＡＴＭ等の他の媒体処理機に組込まれてもよいことはもちろんである。
【００３９】
上記搬送ガイド１に形成される凹溝２、凹部２ａ、リブ４は、単なる一例であり、各種の変化形を採用することができる。図７にまとめて示す。同図の（イ）は、上述したものであり、凹溝２の底部に凹部２ａが形成されているので、凹溝２の深さは、比較的浅い。また、リブ４の上面は搬送ガイド１の上面１ａ，１ｂと同じ面にある。
【００４０】
図７の（ロ）は、凹部２ａの深さを（イ）の凹部２ａの深さ等しくして、凹部２ａを無くしものである。この場合も、リブ４の上面は搬送ガイド１の上面１ａ，１ｂと同じ面にある。図７の（ロ）の態様においては、めくりローラ３の最大径部分が真下に向いた時の通帳の湾曲部分の曲率半径が（イ）の場合よりも大きくなり、通帳からの反力が（イ）の場合よりもやや弱くなるので、通帳の中紙の剛性が高い場合に最上位の頁に適度のめくり力が加えられる利点がある。
【００４１】
図７の（ハ）は、（ロ）のリブ４の前後いずれか一方または両方の延長上に山形の凸部４ａ，４ｂを付加したものである。その場合、凸部４ａ，４ｂのリブ４側の傾斜面４ａ’，４ｂ’を凹溝２の底部の端部の傾斜面２ｂ，２ｃと共通な斜面上に存在させることが好ましい。このような傾斜面４ａ’，４ｂ’、２ｂ，２ｃを設けることにより、めくりローラ３が反時計方向に回転する正めくり時には、傾斜面４ｂ’，２ｃが通帳に一次曲げモーメントを与えやすくなるので、めくり効果が向上する。めくりローラ３が時計方向に回転する、逆めくり時には傾斜面４ａ’，２ｂが通帳に一次曲げモーメントを与えやすくなるので、めくり効果が向上する。
【００４２】
図７の（二）は、（ロ）の凹溝２の前部に搬送ガイド１の上面よりも上側に突出する凸部１ｃを搬送ガイド１に形成し、その凸部１ｃの頂部から凹溝２の底面の前端まで連なる傾斜面２ｄを形成したものである。この凸部１ｃと傾斜面２ｄを有する場合は、次のような利点がある。すなわち、通帳処理機ｂの利用者が通帳処理機ｂに挿入した通帳を取り忘れて離れてしまった場合は、機内に見開き状態で残されている通帳を、その通帳の後半部がめくり領域に位置するまで搬送し、めくりローラ３を時計方向に回転して、その通帳を閉じる作用が行われる。この時、（ロ）の態様においては、通帳の中紙のめくりはできても、表紙は剛性が高いので、容易にはめくれない、すなわち、閉じることが困難である。これに対し、図７の（二）の凸部１ｃと傾斜面２ｄを有する場合は、めくりローラが表紙に強い押圧力とめくり力を加えることができるので、剛性が高い表紙をも容易にめくり、通帳を閉じることができる。この作用効果は、図７の（ハ）の場合にも得られる。
【００４３】
図７の（二）において、凹溝２の前部および後部に搬送ガイド１の上面よりも上側に突出する凸部１ｃを搬送ガイド１に形成し、その凸部１ｃの頂部から凹溝２の底面の前端および後端まで連なる傾斜面２ｄを形成したものが、特許文献２,３に開示されているが、図７の（二）のリブ４が設けられていないため、当初からカールしている通帳の場合は、頁めくりが円滑に行われない。
【符号の説明】
【００４４】
１      搬送ガイド
１ａ，１ｂ  搬送ガイドの凹溝の前後の上面
２      凹溝
２ａ    凹部
２ｂ，２ｃ  凹部の前後の傾斜面
３      めくりローラ
４      リブ
４ａ，４ｂ    山形の凸部
４ａ’，４ｂ’凸部の傾斜面
【要約】
【課題】通帳にカールがある場合であっても、多重めくりや、めくりミスをしない頁めくり装置を提供する。
【解決手段】少なくともめくり領域の前方からめくり領域の後方まで通帳搬送面の下側を延在する搬送ガイドと、めくり領域においてその搬送ガイドよりも上側に設けられ、回転してめくり領域に存在する通帳にめくり力を与えるめくりローラとを有する頁めくり装置において、搬送ガイドに、めくりローラの下方において搬送方向に直交する方向に延びる凹溝を形成するとともに、その凹溝のめくりローラからめくりローラの軸方向に離れた位置に通帳搬送方向に延びるリブを設けて、めくりローラから通帳に押圧力が加わった時にその通帳が通帳搬送方向に直交する方向に波打つようにした。
【選択図】図６【図１】
0005815152.tif 000002
【図２】
0005815152.tif 000003
【図３】
0005815152.tif 000004
【図４】
0005815152.tif 000005
【図５】
0005815152.tif 000006
【図６】
0005815152.tif 000007
【図７】
0005815152.tif 000008